(57)【特許請求の範囲】
【請求項１】
返却が必要なカードのみを挿入口に返却し、使用済みのカードはスタック部にスタックするようにしたカードリーダー・ライターであって、カード搬送路として、カードが挿入される挿入口と、挿入されたカードに記録されたデータを読み出すと共にカードに所定のデータを書き込むためのリード／ライト部と、リサイクルオーバーしていない一定枚数のカードをスタックしておくためのスタック部と、スタック状態にあるスタックカードの総枚数が一定枚数を超えたときにはその余剰分のスタックカードを後方へ排出する回収用排出部とが一列に並んで配置されており、回収用排出部の後方下側に回収ボックスが配置され、回収用排出部のスタックカードの総枚数が満杯以上になったときは余剰分のスタックカードを後方に落下させることで回収ボックス内に回収する構成としたことを特徴とするカードリーダー・ライター。
【請求項２】
上記挿入口から新規に挿入された新規カードとスタック部にスタックされているスタックカードとを同期して移動させるためのカード通行路を設けたことを特徴とする請求項１記載のカードリーダー・ライター。
【請求項３】
上記カード通行路は新規カードとスタックカードとを一列に整列して移動させることを特徴とする請求項２記載のカードリーダー・ライター。
【請求項４】
上記新規カードが会員カード、非会員カードのいずれであるかを判別をするカード判別手段と、カード残度数を確認するカード残度数確認手段とを備え、非会員カードで且つ残度数が０である場合には当該新規カードを挿入口から返却せずにスタック部にスタックすることを特徴とする請求項２記載のカードリーダー・ライター。
【請求項５】
上記スタック部のスタックカードの総枚数が満杯の状態で且つ挿入口から新規カードが挿入された時に、スタック部の最後方のスタックカードが回収用排出部からその後方下側に設けた回収ボックスにより回収されることを特徴とする請求項２記載のカードリーダー・ライター。
【請求項６】
上記新規カード及びスタックカードを搬送するためのグリップ力を発生する搬送手段を備えると共に、挿入口から挿入された新規カードに対するグリップ力が発生する位置にカード有無認識センサを設け、カード有無認識センサによりカードを検知したときに搬送手段が駆動するように構成されていることを特徴とする請求項２記載のカードリーダー・ライター。
【請求項７】
上記カードの略中央部にデータ読み／書き部を内蔵しているカードを使用する場合において、上記カード通行路上におけるカード幅方向の略中央部に、リード／ライト部が位置していることを特徴とする請求項２記載のカードリーダー・ライター。
【請求項８】
上記回収されるスタックカードは自重によりスタック部の後方下部に配置された回収ボックスに落下することを特徴とする請求項５記載のカードリーダー・ライター。
【請求項９】
上記カード通行路上の各カード間の間隔を最小間隔に設定するための間隔設定手段を備えていることを特徴とする請求項２記載のカードリーダー・ライター。
【発明の詳細な説明】
【０００１】
【発明の属する技術分野】
本発明は、カードリーダー・ライターに関するものである。
【０００２】
【従来の技術】
パチンコホール等の遊戯場で、台間サンドにおいてカード等の記録媒体のデータに基づき遊戯を可能とするシステムにおいて、パチンコ店の経理把握や利用客の利便性等を考慮してプリペイドカードが導入されている。この種のカードは主に磁気カードが用いられている。磁気カードには、購入金額等が印刷されていると共に、遊技媒体の貸し出しを行なった後の残度数がどの位あるか否かなどが磁気記録されているが、この磁気カードは残度数が０になると客側に返却され、客に持ち帰られたりしている。
【０００３】
ところで、プリペイドカードはセキュリティー面での機能がそれほど高くないため、持ち帰られたカードが偽造されて再度使用されてしまう問題があり、社会問題化するに至った。そして今後の方向性としてはカード偽造の防止や、カードの記録データの増加により磁気カードからＩＣカードに変わることも予想されているが、従来の磁気カードに比べて、ＩＣカードは単価が高いため、客の持ち帰り等によりホールの損失が発生するため、ホールとしては０度数のカードは回収する必要がある。
【０００４】
一方、カードリーダー・ライター自身でもカードを購入可能とするためには、スタック部に１枚以上のカードをスタックする必要がある。しかし、何らかの理由でカードが抜き取られた場合（リード／ライト部内にカードが存在しない場合）は、店員の手により０度数のカードをセットする必要があった。特に最近では高額カードの使用傾向が高まりつつあり、残高が残ったカードは、精算したり、違う台での遊戯のため、台間機から返却されることが予想されるため、複数枚のスタックカードが望まれる。
【０００５】
【発明が解決しようとする課題】
ところが、カードをスタック可能にする場合にあっては、挿入口から新規カードが挿入される可能性があるため、スタックカードが増え続ける可能性があり、スタックされるカード数量が流動的であった。そのためにスタックエリアの寸法が大きくなり、装置の大型化を招くという問題がある。
【０００６】
本発明は、上記の従来例の問題点に鑑みて発明したものであって、その目的とするところは、不要となったカードの偽造を阻止でき且つ不要となったカードを回収して再利用できるようにすると共に、カードをスタックするためのスタックエリアの寸法最小化を図ることができるカードリーダー・ライターを提供することにある。
【０００７】
【課題を解決するための手段】
上記課題を解決するために本発明にあっては、返却が必要なカード２のみを挿入口３に返却し、使用済みのカード２はスタック部５にスタックするようにしたカードリーダー・ライターであって、カード搬送路として、カード２が挿入される挿入口３と、挿入されたカード２に記録されたデータを読み出すと共にカード２に所定のデータを書き込むためのリード／ライト部４と、リサイクルオーバーしていないカード２を一定枚数だけスタックしておくためのスタック部５と、スタック状態にあるスタックカード２ｂの総枚数が一定枚数を超えたときにはその余剰分のスタックカード２ｂを後方Ｃへ排出する回収用排出部１５とが一列に並んで配置されており、回収用排出部１５の後方Ｃ下側に回収ボックス１２が配置され、回収用排出部１５のスタックカード２ｂの総枚数が満杯以上になったときは余剰分のスタックカード２ｂを後方Ｃに落下させることで回収ボックス１２内に回収する構成としたことを特徴としており、このように構成することで、リサイクルオーバーしていないスタックカード２ｂが客に返却されて不正に改ざんされるおそれがなくなり、また、高価なＩＣカードの場合にはＩＣカード自身の単価分の損失を防止できると共に、スタック状態にあるスタックカード２ｂの総枚数が満杯以上になったときはその余剰分のスタックカード２ｂを後方Ｃの回収用排出部１５から後方Ｃ下側の回収ボックス１２内に回収するようにしたので、スタック部５には必要最小限数のスタックカード２ｂがスタック可能となり、スタックエリアの寸法最小化を図ることができる。しかも、余剰分のスタックカード２ｂを回収用排出部１５から後方Ｃ下側に落下させて回収ボックス１２内に回収可能となるので、簡単な構造でスタックカード２ｂの数量制限ができると共に、複雑な回収機構が不要となる。
【０００８】
また上記挿入口３から新規に挿入された新規カード２ａとスタック部５にスタックされているスタックカード２ｂとを同期して移動させるためのカード通行路７を設けたことを特徴とするのが好ましく、この場合、カード通行路７上においては全てのカード２が同期して動くようになり、スタックカード２ｂの無駄な回収を防止できる。
【０００９】
また上記カード通行路７は新規カード２ａとスタックカード２ｂとを一列に整列して移動させるようにしたので、厚みに対する省スペース化が可能となり、複雑なスタック機構が不要となる。
【００１０】
また上記新規カード２ａが会員カード、非会員カードのいずれであるかを判別をするカード判別手段８と、カード残度数を確認するカード残度数確認手段９とを備え、非会員カードで且つ残度数が０である場合には当該新規カード２ａを挿入口３から返却せずにスタック部５にスタックすることを特徴とするのが好ましく、この場合、使用済みのカード２を客が持ち帰るのを防止できる。
【００１１】
また上記スタック部５のスタックカード２ｂの総枚数が満杯の状態で且つ挿入口３から新規カード２ａが挿入された時に、スタック部５の最後方のスタックカード２ｂが回収用排出部１５からその後方Ｃ下側に設けた回収ボックス１２により回収されることを特徴とするのが好ましく、この場合、スタックカード２ｂの一列整列が可能となり、厚みに対する省スペース化が可能となり、複雑なスタック機構も不要となる。
【００１２】
また上記新規カード２ａ及びスタックカード２ｂを搬送するためのグリップ力を発生する搬送手段１０を備えると共に、挿入口３から挿入された新規カード２ａに対するグリップ力が発生する位置にカード有無認識センサ１１を設け、カード有無認識センサ１１によりカード２を検知したときに搬送手段１０が駆動するように構成されていることを特徴とするのが好ましく、この場合、カード２が搬送可能なグリップ力が発生する位置よりも後方Ｃ側で新規カード２ａをカード有無認識センサ１１が検知して初めて搬送手段１０がカード有無認識センサ１１によって動作するようになり、スタックカード２ｂのみが移動してしまうのを防止できるようなる。結果、最後方のスタックカード２ｂの無駄な回収を防止できるものである。
【００１３】
また上記カード２の略中央部にデータ読み／書き部を内蔵しているカード２を使用する場合において、上記カード通行路７上におけるカード幅方向Ａの略中央部に、リード／ライト部４が位置していることを特徴とするのが好ましく、この場合、カード２を上下逆さまに間違えて挿入した場合でも、カード２のデータを読み取ることが可能となる。
【００１４】
また上記回収されるスタックカード２ｂは自重によりスタック部５の後方下部に配置された回収ボックス１２に落下することを特徴とするのが好ましく、この場合、複雑な回収機構が不要となる。
【００１５】
また上記カード通行路７上の各カード２間の間隔Ｆを最小間隔に設定するための間隔設定手段１３を備えていることを特徴とするのが好ましく、この場合、各カード２の間隔Ｆを最小に設定することでスタックエリアの最小化、及びスタックカード２ｂの無駄回収を防止できるようになる。
【００１６】
【発明の実施の形態】
以下、本発明を添付図面に示す実施形態に基づいて説明する。
【００１７】
本実施形態のカードリーダー・ライター１は、例えばスロットマシーンなどのメダル機、或いはパチンコ機などの台間遊技媒体貸出機として利用されるものであり、図１は新規カード２ａとスタックカード２ｂの配列状態及びスタックカード２ｂの回収状態を説明する側面断面図、図２は正面図、図３は駆動装置１４を説明する背面図、図４はカードリーダー・ライター１の制御ブロック図を示している。なお図１中の２０はシャッターである。
【００１８】
本実施形態では、カード搬送路として、カード２が挿入される挿入口３と、挿入されたカード２に記録されたデータを読み出すと共にカード２に所定のデータを書き込むためのリード／ライト部４と、リサイクルオーバーしていないカード２を一定枚数だけスタックしておくためのスタック部５と、スタック状態にあるスタックカード２ｂの総枚数が一定枚数を超えたときにはその余剰分のスタックカード２ｂを後方Ｃへ排出する回収用排出部１５とが一列に並んで配置されており、回収用排出部１５の後方Ｃ下側に回収手段６である回収ボックス１２が配置されている。そして、返却が必要なカード２（残度数が０でない会員カード又は非会員カード）は挿入口３に返却し、使用済みのカード２（残度数が０の非会員カード）はスタック部５にスタックしておき、いつでもカード２の購入を可能にしておき、またスタックカード２ｂの総枚数が満杯以上（本例では３枚以上）になったときは余剰分のスタックカード２ｂを回収ボックス１２内に回収するようになっている。なお、カードリーダー・ライター１自身で新規にカード２を購入可能とする場合は、スタックカード２ｂに必要なデータ（度数、日付など）を書き込んで、挿入口３に排出するシステムとなっている。
【００１９】
上記カード２は、駆動装置１４によって搬送される。この駆動装置１４は、一組のモータ１６、ギア１７、ベルト１０ａ等からなり、全てのカード２を同期して搬送するものである。これにより、挿入口３から挿入された新規カード２ａとスタックカード２ｂとが一列に並んで且つ同期してカード通行路７上を移動できるようになっている。
【００２０】
また、カード２の略中央部にデータ読み／書き部（図示せず）が内蔵されている場合を考慮して、上記リード／ライト部４は、カード通行路７上におけるカード幅方向Ａの略中央部に位置している。
【００２１】
しかして、スタック部５に１枚以上のカード２（本例では２枚）をスタックできるようにしたので、客は本発明のカードリーダー・ライター１からカード２をいつでも購入可能となる。また、使用済みのカード２（例えば残度数が０の非会員カード）をスタック部５にスタックすることで、使用済みのカード２が客に返却されて不正に改ざんされるおそれがなくなり、また、高価なＩＣカードの場合にはＩＣカード自身の単価分の損失を防止できるようになる。さらに、スタック状態にあるスタックカード２ｂの総枚数が満杯以上（本例では３枚以上）になったときはその余剰分のスタックカード２ｂを後方Ｃの回収用排出部１５から回収ボックス１２内に回収するようにしたので、必要最小限数（本例では２枚）のカード２がスタック可能となり、スタックエリアの寸法最小化を図ることができる。また、スタックカード２ｂの回収方法として、新規カード２ａを１枚挿入したときに最後方の１枚のスタックカード２ｂを後方Ｃに落下させる、いわゆる心太方式を採用したので、簡単な構造でスタックカード２ｂの数量制限ができるようになる。
【００２２】
また本例ではカード通行路７上を新規カード２ａとスタックカード２ｂとが一列に整列し且つ同期して移動可能としたことによって、厚みに対する省スペース化が可能となり、複雑なスタック機構が不要となる。ちなみに、新規カード２ａとスタックカード２ｂとがカード通行路７上で異なる動き（例えば、新規カード２ａが移動し、スタックカード２ｂは静止）をする場合にあっては、複数の駆動系（例えば、モータ１６が複数、ベルト１０ａが複数）が必要となるため、コストアップや機構の複雑化や寸法が大きくなるという問題が生じるが、本例では１つのカード通行路７と駆動装置１４とで新規カード２ａとスタックカード２ｂとを同期して一列に移動させているため、１つの駆動系で済み、コストダウン及び省スペース化を図ることができると共に、無駄な正回転によりスタックカード２ｂが回収されてしまうことがないという利点もある。
【００２３】
さらに、カード通行路７上におけるカード幅方向Ａの略中央部にリード／ライト部４を位置させているため、カード２の略中央部にデータ読み／書き部を内蔵しているカード２を使用するシステムにも最適に使用できるものとなる。ちなみにリード／ライト部４がカード幅方向Ａの略中央部からずれて位置していると、カード２を上下逆さまに間違えて挿入したときはデータが読み取れない場合が生じ、しかもこのときは、一度モータ１６が正回転して新規カード２ａは返却されるが、このときスタックカード２ｂが後方Ｃに移動して回収されてしまうおそれがある。そこで本例では、カード幅方向Ａの中央部にリード／ライト部４を位置させているので、カード２の挿入間違えが起きてもそのデータを読み取ることができる結果、稼動率アップにつながるという利点がある。
【００２４】
さらに、図４に示すように、挿入口３から挿入された新規カード２ａが会員カード、非会員カードのいずれであるかを判別をするカード判別手段８と、カード残度数を確認するカード残度数確認手段９とが設けられている。これらカード判別手段８及びカード残度数確認手段９は、例えば磁気センサからなり、非会員カードで且つ残度数が０であるカード２を検知すると、当該新規カード２ａを挿入口３から返却せずにスタック部５にスタックするようにしており、非会員カードで且つ残度数０のカード２を客が持ち帰るのを防止できるようになる。なお残度数が０でも会員カードの場合は、そのカード２は挿入口３に返却されて持ち帰れるようにする。つまり、挿入口３から出てくるのは、残度数が残っているカード２か、会員カードのみであり、非会員カードで残度数０のカード２は、スタック状態から残度数をアップされるか回収されるかのどちらかとなる。
【００２５】
また上記スタック部５のスタックカード２ｂの総枚数が満杯の状態で且つ挿入口３から新規カード２ａが挿入された時には、制御部１８がモータ１６を駆動して、スタック部５の最後方のスタックカード２ｂのみが回収用排出部１５から回収ボックス１２内に回収されるようになっている。ここでは、回収されるカード２は、スタック部５のカード２スタック数が満杯の状態で新たにカード２が挿入口３から挿入された時、スタック部５の最後方のカード２ｂである。このように最後方のスタックカード２ｂを回収することで、一定枚数のスタックカード２ｂを一列に整列してスタックすることが可能となる。また、回収されるスタックカード２ｂはその自重によりスタック部５の後方下部に配置された回収ボックス１２に落下するので、複雑な回収機構が不要となる。なお、スタックカード２ｂは必ずしも自重により落下する場合に限らず、例えば搬送装置によって回収することも可能である。
【００２６】
また図１に示すように、上記挿入口３から挿入された新規カード２ａに対するグリップ力が発生する位置にカード有無認識センサ１１が設けられている。このカード有無認識センサ１１は、ベルト１０ａの先端よりも前方ＤのＳ1位置、ベルト１０ａの先端よりも後方ＣのＳ2位置、さらに後方ＣのＳ3位置にそれぞれ設けられており、これらカード有無認識センサ１１によりカード２を検知したときにベルト１０ａが駆動するように構成されている。ちなみに、一組の駆動装置１４で新規カード２ａとスタックカード２ｂを同期して移動させるため、駆動装置１４を駆動させるカード有無認識センサ１１がベルト１０ａの先端部よりも前方Ｄ側（挿入口３側）に位置していると、新規カード２ａが搬送不可の状態でベルト１０ａが動作し始める可能性があり、この場合は新規カード２ａは移動せずにスタックカード２ｂのみが移動し、後方Ｃのスタックカード２ｂが回収されてしまう場合がある。そこで、本例では、挿入口３から挿入された新規カード２ａに対するグリップ力が発生するＳ2，Ｓ3の位置（図１）にカード有無認識センサ１１を設けているので、カード２が搬送可能なグリップ力が発生する位置、つまり、ベルト１０ａ先端よりも後方Ｃ側で新規カード２ａをカード有無認識センサ１１が検知して初めてベルト１０ａが動作するようにしているので、スタックカード２ｂのみが移動してしまうのを防止できるようになる。従って、最後方のスタックカード２ｂの無駄な回収を防止できるものである。なお、図１中のベルト１０ａの後端よりも前方ＤのＳ4位置、さらに前方ＤのＳ5位置、さらにベルト１０ａの後端よりも後方ＣのＳ6位置にもカード有無認識センサ１１が設けられており、最後方のスタックカード２ｂの有無を検知できるようになっている。
【００２７】
また上記制御部１８には、カード通行路７上の各カード２間の間隔Ｆ（図１）を最小間隔に設定するための間隔設定手段１３が設けられている。新規カード２ａが挿入されるとカード有無認識センサ１１がこれを検知してベルト１０ａが動き出すが、このとき新規カード２ａとスタックカード２ｂとの間隔Ｆ、或いはスタックカード２ｂ相互の間隔Ｆが広いと、スタックエリアが広くなるうえに、最後方のスタックカード２ｂが後方Ｃに動いて無駄な回収が発生する場合がある。そこで、本例では制御部１８によってスタックカード２ｂのスタック位置を定位置化する。つまり、新規なカード２が挿入されたときはカード２間の間隔Ｆが大きく広がらないように駆動装置１４を駆動制御する。これにより新規カード２ａとスタックカード２ｂとの間隔Ｆ、及び、各スタックカード２ｂ間の間隔Ｆを、それぞれ、最小に設定でき、スタックエリアの最小化を一層図ることができると共に、スタックカード２ｂの無駄な回収を防ぐことが可能となる。
【００２８】
【発明の効果】
上述のように請求項１記載の発明にあっては、カード搬送路として、カードが挿入される挿入口と、挿入されたカードに記録されたデータを読み出すと共にカードに所定のデータを書き込むためのリード／ライト部と、リサイクルオーバーしていない一定枚数のカードをスタックしておくためのスタック部と、スタック状態にあるスタックカードの総枚数が一定枚数を超えたときにはその余剰分のスタックカードを後方へ排出する回収用排出部とが一列に並んで配置されており、回収用排出部の後方下側に回収ボックスが配置され、回収用排出部のスタックカードの総枚数が満杯以上になったときは余剰分のスタックカードを後方に落下させることで回収ボックス内に回収するので、リサイクルオーバーしていないスタックカードが客に返却されて不正に改ざんされるおそれがなくなり、また、高価なＩＣカードの場合にはＩＣカード自身の単価分の損失を防止できると共に、スタック状態にあるスタックカードの総枚数が満杯以上になったときはその余剰分のスタックカードを後方の回収用排出部から回収ボックス内に回収するようにしたので、スタック部には必要最小限数のスタックカードがスタック可能となり、スタックカードの数量を制限することでスタックエリアの寸法最小化を図ることができる。しかも、余剰分のスタックカードを回収用排出部から後方下側に落下させて回収ボックス内に回収可能となるので、簡単な構造でスタックカードの数量制限ができると共に、複雑な回収機構が不要となる。
【００２９】
また請求項２記載の発明は、請求項１記載の効果に加えて、上記挿入口から新規に挿入された新規カードとスタック部にスタックされているスタックカードとを同期して移動させるためのカード通行路を設けたので、カード通行路上においては全てのカードが同期して動くようになり、スタックカードの無駄な回収を防止でき、稼動率アップを図ることができる。
【００３０】
また請求項３記載の発明は、請求項２記載の効果に加えて、上記カード通行路は新規カードとスタックカードとを一列に整列して移動させるようにしたので、厚みに対する省スペース化が可能となり、複雑なスタック機構が不要となる。
【００３１】
また請求項４記載の発明は、請求項２記載の効果に加えて、上記新規カードが会員カード、非会員カードのいずれであるかを判別をするカード判別手段と、カード残度数を確認するカード残度数確認手段とを備え、非会員カードで且つ残度数が０である場合には当該新規カードを挿入口から返却せずにスタック部にスタックするようにしたので、使用済みのカードを客が持ち帰るのを防止でき、特に単価の高いＩＣカードの場合には、ＩＣカード自身の単価分の損失を防止できる。
【００３２】
また請求項５記載の発明は、請求項１記載の効果に加えて、上記スタック部のスタックカードの総枚数が満杯の状態で且つ挿入口から新規カードが挿入された時に、スタック部の最後方のスタックカードが回収用排出部からその後方下側に設けた回収ボックスにより回収されるので、スタックカードの一列整列が可能となり、厚みに対する省スペース化が可能となり、複雑なスタック機構も不要となる。
【００３３】
また請求項６記載の発明は、請求項２記載の効果に加えて、上記新規カード及びスタックカードを搬送するためのグリップ力を発生する搬送手段を備えると共に、挿入口から挿入された新規カードに対するグリップ力が発生する位置にカード有無認識センサを設け、カード有無認識センサによりカードを検知したときに搬送手段が駆動するように構成されているので、カードが搬送可能なグリップ力が発生する位置よりも後方側で新規カードをカード有無認識センサが検知して初めて搬送手段がカード有無認識センサによって動作するようになり、スタックカードのみが移動してしまうのを防止できる結果、最後方のスタックカードの無駄な回収を防止できるものである。
【００３４】
また請求項７記載の発明は、請求項１記載の効果に加えて、上記カードの略中央部にデータ読み／書き部を内蔵しているカードを使用する場合において、上記カード通行路上におけるカード幅方向の略中央部に、リード／ライト部が位置しているので、カードを上下逆さまに間違えて挿入した場合でもそのデータを読み取ることが可能となり、稼動率アップにつながる。
【００３５】
また請求項８記載の発明は、請求項１記載の効果に加えて、上記回収されるスタックカードは自重によりスタック部の後方下部に配置された回収ボックスに落下するので、複雑な回収機構が不要となる。
【００３６】
また請求項９記載の発明は、請求項２記載の効果に加えて、上記カード通行路上の各カード間の間隔を最小間隔に設定するための間隔設定手段を備えているので、つまり、各カードの間隔を最小に設定することで、スタックエリアの最小化、及びスタックカードの無駄回収を防ぐことが可能となる。
【図面の簡単な説明】
【図１】本発明の実施形態の一例を示し、新規カードとスタックカードの配列状態及びスタックカードの回収状態を説明する側面断面図である。
【図２】同上の挿入口及び回収ボックスを正面から見た図である。
【図３】同上の駆動装置を説明する背面図である。
【図４】同上のカードリーダー・ライターの制御ブロック図である。
【符号の説明】
１  カードリーダー・ライター
２  カード
２ａ  新規カード
２ｂ  スタックカード
３  挿入口
４  リード／ライト部
５  スタック部
６  回収手段
７  カード通行路
８  カード判別手段
９  カード残度数確認手段
１０  搬送手段
１１  カード有無認識センサ
１２  回収ボックス
１３  間隔設定手段
Ａ  カード幅方向
Ｂ  カード挿入方向
Ｃ  後方
Ｄ  前方
Ｆ  間隔
【図１】
0003864766.tif 000002
【図２】
0003864766.tif 000003
【図３】
0003864766.tif 000004
【図４】
0003864766.tif 000005